(57)【要約】      （修正有）【課題】回路基板が載った筐体間をケーブルが接続する構成において、放射ノイズを確実に低減する事が可能となる。【解決手段】複写機本体筐体１０１と該筐体と着脱構造を持つ筐体１０２間の電気信号を通すケーブル１０７において、該ケーブル１０７の遊び部分を、筐体１０２の金属部分に沿わせるように引き込み構造を設けることで、ケーブル１０７の余丁分を給紙ユニット筐体１０２の金属部分に沿わせながらケーブル１０７を引き込む構造とした。【選択図】図１
2005312118.tif 000002
【特許請求の範囲】
【請求項１】
複写機本体筐体Ａと該筐体と着脱構造を持つ筐体Ｂ間の電気信号を通すケーブルにおいて、該ケーブルの遊び部分を、筐体の金属部分に沿わせるように引き込み構造を設けたことを特徴としたケーブル収納構造。
【請求項２】
前記引き込み構成であって、ケーブルの引き込み部のガイドと該ガイドからケーブルを下垂させる動滑車と錘で構成したことを特徴としたケーブル収納構造。
【請求項３】
前記引き込み構成であって、ケーブルの引き込み部のガイドと該ガイドからケーブルを下垂させる動滑車と該動滑車を押し当てるバネで構成したことを特徴としたケーブル収納構造。
【請求項４】
前記引き込み構成であって、ケーブルの引き込み部のガイドと該ガイドからケーブルを上向きに押し当てるバネと動滑車で構成したことを特徴としたケーブル収納構造。
【発明の詳細な説明】
【技術分野】
【０００１】
本発明は、電子機器の放射ノイズに関し、特に、複写機に繋がるケーブルや筐体より放射される電磁波による障害を防止する場合に好適な筐体間のケーブル収納構造に関する。
【背景技術】
【０００２】
近年、コンピュータや複写機等の電子機器から放射される電磁波によって周辺装置が障害を起こすことが問題となっている。このため、電子装置から放射される放射ノイズのレベルをＶＣＣＩ（情報処理装置等電波障害自主協議会）で定める規格値以下に抑えるように自主規制されている。特に、異なる２つの筐体に囲まれたプリント基板等を信号伝送ケーブルにより接続する形態においては、信号伝送ケーブルにおいて発生する放射ノイズが大きな問題となっている。
【０００３】
従来から、信号伝送ケーブルにおいて発生する放射ノイズに対しては、信号伝送ケーブルにコアを設けたり、ケーブル自体をシールドケーブルにすることで放射ノイズの低減化をはかっていた。
【０００４】
また、近年複写機等では、カラー化、高速化や高機能化が要求されている。そのため複写機本体の周辺には、スライド状に可動着脱構造で給紙体等の機能を持った別ユニットが接続配置されるようになってきている。これらのユニットは比較的大型の金属筐体であり、複写機本体と信号伝送ケーブルで接続されている。
【０００５】
こうしたケーブルの遊びにより、ケーブルや、別ユニットの金属筐体がアンテナとなり放射ノイズを発生し、上記のコアやシールドケーブルでの低減化が非常に困難なものとなっている。
【０００６】
また、特開平１１−１９２９０３等（特許文献１）のように、ケーブルの遊びを処理する形として、動滑車にレールガイド付きの錘を釣下げている。下垂部分の考えは一般的である。しかし、放射ノイズは、ケーブルを引き込んだだけでは変化しない。更に、特開２００１−２３０５６４等（特許文献２）のように、巻き取り部分を筐体と別にして、ケーブル余丁部分を整理している。この方法も、放射ノイズは低減できない。
【０００７】
筐体やケーブルから発生する放射ノイズに対しては、特開平２００２−１３４９８０（特許文献３）に記載されているように、筐体間を導電部材で接続し、ケーブルをその導電部材の近くを通すように，クランプで固定することで、放射ノイズを低減化する事ができる。このような筐体間を導電部材で接続した形態の背面図を図４に示す。図４において、複写機筐体１０１と給紙ユニット筐体１０２が設けられており、複写機筐体１０１の内部の回路基板１０３と、給紙ユニット筐体１０２の内部の回路基板１０４とが、信号伝送ケーブル１０７により接続されている。複写機筐体１０１と給紙ユニット筐体１０２とは、ロックユニット１１２と下部のスライドユニット１１０により接続されている。又、ケーブル１０７は、複写機ユニット１０１側では、背面が金属カバーとなっており、この金属カバーに沿うように、ケーブルクランプ１１５で固定されている。このケーブルクランプでケーブルは、ロックユニット１１２部に誘導され、筐体間接続部の近くを通るようになっている。
【特許文献１】特開平１１−１９２９０３
【特許文献２】特開２００１−２３０５６４
【特許文献３】特開平２００２−１３４９８０
【発明の開示】
【発明が解決しようとする課題】
【０００８】
しかしながら、特開平２００２−１３４９８０（特許文献３）に記載されている、筐体間を導電部材で接続し、ケーブルをその導電部材の近くを通すように、クランプで固定するする方法では、給紙ユニット筐体１０２側のスライド移動分のケーブル余丁分が、成り行きで下垂している。即ち、別ユニットをスライドした時はケーブルの遊びが無いが、筐体間が接続された状態では、ケーブルに遊びが生じた構造になっている。
【０００９】
また、複写機本体の周辺に配置される様々機能を有する別ユニットは、紙つまりや印字不良とがあると、複写機本体から移動させなければならない。そのため複写機本体と各ユニット間を完全に固定して接続すると、作業性が非常に低下してしまうと言う課題も有った。
【課題を解決するための手段】
【００１０】
前記課題を解決するために、本発明においては、複写機本体筐体Ａと該筐体と着脱構造を持つ筐体Ｂ間の電気信号を通すケーブルにおいて、該ケーブルの遊び部分を、筐体の金属部分に沿わせるように引き込み構造を設けたことを特徴としたケーブル収納構造としたものである。
【発明の効果】
【００１１】
本発明によれば、回路基板が載った筐体間をケーブルが接続する構成において、このケーブルの余丁分を給紙ユニット筐体の金属部分に沿わせながらケーブルＲを引き込む構造とすることで、放射ノイズを確実に低減する事が可能となる。
【発明を実施するための最良の形態】
【００１２】
以下、本発明の実施の形態を図面に基づいて詳細に説明する。図１は本発明の第１の実施の形態に係るケーブル収納構造を示した背面図である。尚、図１において、図４と同じ部材には同じ符号を付している。
【００１３】
図１において、１０１は複写機筐体であり、１０２は給紙ユニット筐体である。第１の複写機筐体１０１の内部には回路基板１０３が固定されており、背面が金属カバーのため、破線で示してある。第２の筐体１０２の内部には回路基板１０４が配置され、外側のカバーは背面がプラスチック製、ここではカバーを取った状態を示してある。両者の回路基板には外部コネクタ１０５、内部の基板上のコネクタ１０６を経由して相互に信号を伝送するケーブル１０７が接続されている。
【００１４】
又、給紙ユニット筐体１０２は、複写機筐体１０１とスライドユニット１１０で接続され、接続時は、ロックユニット１１２で接続固定されている。コピー中は、この給紙ユニット１０２から用紙が供給され、複写機筐体１０１に入る。
【００１５】
この給紙ユニット１１０は、複写機筐体１０１にトラブルがあると、スライドユニット１１０の機能を使用して、横に４０ｃｍ程離せるようになっている。
【００１６】
そこで、信号伝送ケーブル１０７の長さは、複写機筐体１０１を相対的に移動させる為、離した時に繋がる長さが必要である。ここでは１ｍの長さとなっている。このようなケーブル形態で、ケーブル１０７には、伝送信号と、ＤＣ電源が通っており、このケーブル１０７がアンテナとなり高い放射ノイズを放射する。
【００１７】
本発明者は鋭意研究の結果、ケーブルを金属筐体に沿わせて引き込むことにより、ケーブルから放射されるノイズを大幅に低減可能である事を見出した。
【実施例１】
【００１８】
複写機筐体１０１は金属で形成された複写機本体であり、一連の一般的なスキャニングして、定着までの手段で構成されている。複写機筐体１０１の内部には給紙ユニット１０２を駆動させる信号発生回路基板１０３が配置されている。複写機筐体１０６の大きさは、縦７０×横９０×高さ１００ｃｍである。
【００１９】
また金属で形成された給紙ユニット筐体１０２は、大量の用紙を供給するためのユニットである。給紙ユニット１０２の内部の背面の金属板金には回路基板１０４が配置されている。第２の筐体１０７の大きさは、縦３０×横５０×高さ６０ｃｍである。回路基板１０３と回路基板１０４は、信号伝送ケーブル１０７により接続されていて、給紙信号は回路基板１０４からの信号を受けて駆動する。信号伝送ケーブル１０７は、回路基板１０３及び回路基板１０４とそれぞれの回路基板上のコネクタ，機内ケーブルを経由して、外部コネクタ１０５と基板上のコネクタ１０６を経由して接続されている。また、このケーブル１０７には、給紙ユニットの基板やモータを駆動するＤＣ電源と、１ＭＨｚの信号が入り、８０ｃｍ程の長さとなっている。
【００２０】
このケーブル１０７は、入り口部と基板側にローラー状のケーブルガイド１０８が設けられ、そのガイド間には、ケーブル１０７を下に引っ張るように動滑車１０９と錘１１１で構成された引き込み手段で、ケーブルガイドと外部コネクタ１０５間のケーブル１０７に遊びが無く、軽く曳かれた構造となっている。言い換えると、ケーブルがグランドとなる給紙ユニット１０２の金属面に沿った構造となり、いわゆる浮いたケーブルが少なくなり、放射ノイズを低減できる。
【００２１】
尚、この状態では、筐体間のケーブル部分直近部分にグランドを持ってきていない。しかし、ここでは、下部がスライドユニット１１０で、上部でロックユニット１１２が接続されているため、ケーブル部分のグランド金属が無くても効果が得られる。より大きな放射ノイズの減衰効果お得る為には、どちらかの金属接合部分ケーブル１０７を沿わせることがよい。
【００２２】
以上説明したように、本発明の第１の実施の形態のケーブル収納構造は、ケーブルからの放射ノイズを確実に低減する事が可能である事がわかる。
【実施例２】
【００２３】
図２は本発明の実施例２に係るケーブル収納構造を示した背面図である。尚、図２において、図１と同じ部材には同じ符号を付し、その説明は省略する。
【００２４】
図２は、複写機筐体１０１と給紙ユニット筐体１０２との接続形態は同じである。異なる点は、ケーブル１０７を下垂させ、遊び部分をなくす構造である。動滑車１０９を下垂させるため、バネ１１３の上部接続し、バネ１１３の下部を筐体に固定したものである。この構造は、ケーブル１０７が給紙ユニット筐体の金属に沿うよう引き込まれ、収納され、結果として実施例１の場合と同様の放射ノイズを低減する効果が得られる。
【実施例３】
【００２５】
図３は本発明の第３の実施の形態に係るケーブル収納構造を示した背面図である。尚、図３において、図１と同じ部材には同じ符号を付し、その説明は省略する。
【００２６】
図３において、複写機筐体１０１の外部コネクタ１０９が下部にあるときで、ケーブル１０７を給紙ユニット１０２の上部から引き込もうとすると、外に露出されるケーブル１０７が斜めとなり、長くなってしまい、両方の筐体からも離れてしまう。そこで、本実施例では、給紙ユニット筐体１０２内の動滑車１０９を下からバネ１１４によって押し上げた構造である。このとき、給紙ユニット筐体１０２の回路基板１０４は、下部に設置することが望ましい。ケーブル１０７の全長はできるだけ短いほうがよい。このような構成においても、第１の実施例と同様の効果を得ることができる。
【図面の簡単な説明】
【００２７】
【図１】実施例１に係るケーブル収納構造を示した背面図
【図２】実施例２に係るケーブル収納構造を示した背面図
【図３】実施例３に係るケーブル収納構造を示した背面図
【図４】従来の実施の形態に係るケーブル収納構造を示した背面図
【符号の説明】
【００２８】
１０１  複写機筐体
１０２  給紙ユニット筐体
１０３  複写機の回路基板
１０４  給紙ユニットの回路基板
１０５  給紙ユニットコネクタ
１０６  複写機筐体コネクタ
１０７  信号伝送ケーブル
１０８  ケーブルガイド
１０９  動滑車
１１０  給紙スライドユニット
１１１  錘
１１２  固定金具
１１３  バネ
１１４  バネユニット
１１５  ケーブルクランプ
【図１】
2005312118.tif 000003
【図２】
2005312118.tif 000004
【図３】
2005312118.tif 000005
【図４】
2005312118.tif 000006